(57)【要約】      （修正有）【課題】装着者の足の踵側のアーチを保持し、装具全体で立方骨、舟状骨の部分を効果的に保持できるようにしたアーチサポート装具を提供する。【解決手段】アーチサポート装具１であって、人の足の足首直前の甲の部位から足裏を回って一周するように足に巻き付ける長さ調整可能かつ伸縮性を持つ堅締用バンド１２と、特定の形状で、柔軟な材質のサポート部材１３とを備え、堅締用バンド１２の足裏面側に来る所定の箇所の内面側にサポート部材１３を取り付け、サポート部材１３はその後端縁部１３１が人の踵の足裏面前側の曲線に対応するように、横幅中央部で前方に凹となるように湾曲し、かつ、人の足裏内側に対応する部分の前後幅を幅広にし、足裏外側に対応する部分１３３の前後幅を足裏内側に対応する部分１３２の前後幅よりも幅狭とし、かつ所定の厚みＴを持つ形状にしたものである。【選択図】図２
2019134903.tif 000002
【特許請求の範囲】
【請求項１】
アーチサポート装具であって、
人の足の足首直前の甲の部位から足裏を回って一周するように前記人の足に巻き付ける長さ調整可能かつ伸縮性を持つ堅締用バンドと、
特定の形状で、柔軟な材質のサポート部材とを備え、
前記堅締用バンドの足裏面側に来る所定の箇所の内面側に前記サポート部材を取り付け、
前記サポート部材は、その後端縁部が人の踵の足裏面前側の曲線に対応するように、横幅中央部で前方に凹となるように湾曲し、かつ、前記人の足裏内側に対応する部分の前後幅を幅広にし、足裏外側に対応する部分の前後幅を前記足裏内側に対応する部分の前後幅よりも幅狭とし、かつ所定の厚みを持つ形状にした、
ことを特徴とするアーチサポート装具。
【請求項２】
前記堅締用バンドは、両端部それぞれに互いに面接合して接合する面ファスナーを取り付け、長さ調節可能としたことを特徴とする請求項１に記載のアーチサポート装具。
【請求項３】
前記サポート部材の背面側に、前記堅締用バンド側のサポート部材取着部に取り付けた面ファスナーに面接合する面ファスナーを取り付けたことを特徴とする請求項１又は請求項２に記載のアーチサポート装具。
【請求項４】
前記サポート部材の足裏内側端部に対応する部分及び足裏外側端部に対応する部分それぞれには、必要に応じて１枚あるいは複数枚、重ね合わせて嵩上げするための嵩上げ用小片を取り付けたことを特徴とする請求項１〜請求項３のいずれかに記載のアーチサポート装具。
【請求項５】
前記サポート部材は、好ましくはルナラスティックのような柔軟なクッション材で成ることを特徴とする請求項１〜請求項４のいずれかに記載のアーチサポート装具。
【請求項６】
前記堅締用バンドには、幅１．８ｃｍ以下の伸縮可能で滑りにくい帯材を用いたことを特徴とする請求項１〜請求項５のいずれかに記載のアーチサポート装具。
【請求項７】
前記アーチサポート装具は前記サポート部材の足裏内側端部に対応する部分は装着者の足の舟状骨を支え、前記足裏外側端部に対応する部分は前記装着者の足の立方骨を支え、前記堅締用バンドは前記装着者の足の舟状骨及び立方骨の甲側部分を保持するように当該装着者の中足部に装着することを特徴とする請求項１〜請求項６のいずかに記載のアーチサポート装具。
【発明の詳細な説明】
【技術分野】
【０００１】
本発明は、アーチサポート装具に関する。
【背景技術】
【０００２】
従来から、人の足の痛みや変形に対応し、歩行時の痛みを軽減し、また歩行時の骨配列を矯正するために、使用者の足形や骨配列の変化に応じて整形したインソールを靴の内底に挿入する対策や、足裏の土踏まずの形状に対応したサポーターを使用者に装着させる対策が取られている。
【０００３】
ところが、前者のインソールを使用する対策の場合、特に専門の医師や整体師にインソールを制作してもらえば痛みの軽減や骨配列の矯正には効果的ではあっても、その制作費用が高価であること、またインソールの入った靴を履いている間しか効果がなく、日本のような室内で靴を履く習慣のない生活環境の場合には効果性が低いことなどの問題点がある。
【０００４】
他方、後者の特殊なサポーターを装着する対策の場合、靴底や中敷きにアーチサポートの加工がされている靴と併用した場合にアーチサポートが過大になることがあり、最良の結果を得るためには専門家による装着と靴の選定が必要となるので一般人には敷居が高いこと、加えて中足部から前足部の一部まで広範囲に装着する物が多いために蒸れやすくて特に夏期には使用を躊躇させてしまうこと、またパンプスのような軽快な靴を履く人にとってはサポーターが見栄えを損なうこともあってその点でも使用を躊躇させてしまうことがある等の問題点がある。
【０００５】
このような問題点に鑑みて、例えば、特表平１０−５１２４６１号公報（特許文献１）に記載されているようなアーチサポート装具が知られている。この従来のサーチサポート装具は回内足を矯正するために考えられた装具があり、人の足の踵近くの部分に一周回して面接合するという簡単な方法で足に装着して使用できる利点があり、また足の一部に部分的に装着するので大げさではなく、パンプスのような軽装の靴を履いていても目立たない利点がある。
【０００６】
ところが、特許文献１のアーチサポート装具の場合、多くのアーチサポート装具がそうであるように人の足裏の内側の前後長手方向のアーチ部分にパッドが当たるように装着し、回内足を矯正するものであり、人の踵側のアーチを保持し、かつ外側では立方骨、内側では舟状骨を保持して荷重時の衝撃吸収ができるものではなかった。
【先行技術文献】
【特許文献】
【０００７】
【特許文献１】特表平１０−５１２４６１号公報
【発明の概要】
【発明が解決しようとする課題】
【０００８】
本発明は、上述した従来の技術的課題に鑑みてなされたもので、サポート部材を足裏側に位置させた状態で人の踵部の直前の部分の外周に幅狭の堅締用バンドを一周させて装着することにより、装着時の外観の損い方を最小限にとどめることができ、かつ、足裏側に位置するクッション性のあるサポート部材によって装着者の足の踵側のアーチを保持し、かつ当該サポート部材の足裏外側の部分では立方骨、足裏内側の部分では舟状骨を保持して荷重時の衝撃吸収ができ、同時に伸縮性の堅締用バンドによって立方骨、舟状骨から成る横アーチを軽く保持し、装具全体で立方骨、舟状骨の部分を効果的に保持できるようにしたアーチサポート装具を提供することを目的とする。
【課題を解決するための手段】
【０００９】
本発明の特徴は、アーチサポート装具であって、人の足の足首直前の甲の部位から足裏を回って一周するように前記人の足に巻き付ける長さ調整可能かつ伸縮性を持つ堅締用バンドと、特定の形状で、柔軟な材質のサポート部材とを備え、前記堅締用バンドの足裏面側に来る所定の箇所の内面側に前記サポート部材を取り付け、前記サポート部材は、その後端縁部が人の踵の足裏面前側の曲線に対応するように、横幅中央部で前方に凹となるように湾曲し、かつ、前記人の足裏内側に対応する部分の前後幅を幅広にし、足裏外側に対応する部分の前後幅を前記足裏内側に対応する部分の前後幅よりも幅狭とし、かつ所定の厚みを持つ形状にした、ことを特徴とするものである。
【００１０】
上記アーチサポート装具においては、前記堅締用バンドは、両端部それぞれに互いに面接合して接合する面ファスナーを取り付け、長さ調節可能としたものとすることができる。
【００１１】
また上記アーチサポート装具においては、前記サポート部材の背面側に、前記堅締用バンド側のサポート部材取着部に取り付けた面ファスナーに面接合する面ファスナーを取り付けたものとすることができる。
【００１２】
また上記アーチサポート装具においては、前記サポート部材の足裏内側端部に対応する部分及び足裏外側端部に対応する部分それぞれには、必要に応じて１枚あるいは複数枚、重ね合わせて嵩上げするための嵩上げ用小片を取り付けたものとすることができる。
【００１３】
また上記アーチサポート装具においては、前記サポート部材は、好ましくはルナラスティックのような柔軟なクッション材で成るものとすることができる。
【００１４】
また上記アーチサポート装具においては、前記堅締用バンドには、幅１．８ｃｍ以下の伸縮可能で滑りにくい帯材を用いたものとすることができる。
【００１５】
さらに上記アーチサポート装具においては、前記サポート部材の足裏内側端部に対応する部分は装着者の足の舟状骨を支え、前記足裏外側端部に対応する部分は前記装着者の足の立方骨を支え、前記堅締用バンドは前記装着者の足の舟状骨及び立方骨の甲側部分を保持するように当該装着者の中足部に装着するものとすることができる。
【発明の効果】
【００１６】
本発明のアーチサポート装具によれば、堅締用バンドを直線状に開き、人の足の足首より少し前の位置にて足裏から甲にかけて外周を一周するように回し、その際にサポート部材が足裏の踵の前端よりもやや前方の位置でほぼ足幅を渡るように置き、堅締用バンドの両端を接合することによって装着者の足の足首よりも少し前の位置に固定する。これによってサポート部材の足裏内側端部に対応する部分は装着者の足の舟状骨を下から支え、足裏外側端部に対応する部分は装着者の足の立方骨を下から支え、同時に堅締用バンドにて装着者の足の舟状骨及び立方骨を外周から保持するようにして装着することができ、この装着によって舟状骨下部、踵骨下部に当たるサポート部材の内側部分が距舟関節の過回内を制限し、かつ立方骨下部に当たるサポート部材の外側部分が踵立関節の過回外を制限し、アーチ部の安定したサポートができる。
【００１７】
また当該アーチサポート装具を装着する際に、伸縮性のある堅締用バンドを外側から引き上げ内側に着用することによってショパール関節の過回外を抑制する働きも期待できる。
【図面の簡単な説明】
【００１８】
【図１】本発明の１つの実施の形態のアーチサポート装具（左足用）の展開状態の斜視図。
【図２】上記実施の形態のアーチサポート装具（右足用）の堅締用バンドを端部同士を接続して輪状にした状態での斜視図。
【図３】上記実施の形態のアーチサポート装具のサポート部材（右足用）の斜視図。
【図４】上記実施の形態のアーチサポート装具（右足用）の堅締用バンドからサポート部材を取り外して裏向けた状態の分解斜視図。
【図５】上記実施の形態のアーチサポート装具を人の右足に装着する方法の説明図。
【図６】上記実施の形態のサーチサポート装具を人の右足に装着した状態の内側から見た斜視図。
【図７】上記実施の形態のサーチサポート装具を人の左足に装着した状態の外側から見た斜視図。
【図８】上記実施の形態のアーチサポート装具を人の右足に装着した状態の正面から見た斜視図。
【図９】上記実施の形態のサーチサポート装具を人の左足に装着した状態の足裏側から見た斜視図。
【図１０】人の右足の骨を示す説明図。
【図１１】本発明の別の実施の形態のアーチサポート装具のサポート部材と小片との分解図。
【図１２】上記別の実施の形態のサーチサポート装具の人の足への装着状態を示す正面断面図。
【発明を実施するための形態】
【００１９】
以下、本発明の実施の形態を図に基づいて詳説する。
【００２０】
［第１の実施の形態］
図１〜図９を用いて本発明の第１の実施の形態のアーチサポート装具について説明する。第１の実施の形態のアーチサポート装具１は、足首１０１直前の甲１０３の部位から足裏１０４を回って一周するように人の足１００に巻き付ける透明な、両端部の一方には堅締用面ファスナー１１のループ面１１Ａ、他方には同面ファスナー１１の鉤面１１Ｂを取り付けた堅締用バンド１２と、後述する特定の形状、柔軟なクッション性を備えたサポート部材１３とで構成される。
【００２１】
堅締用バンド１２は透明若しくは肌色の幅が２ｃｍ以下、好ましくは１．８ｃｍかそれ以下で、柔軟かつ若干の伸縮性があり、滑りにくい素材でできている。なお、この幅は限定されるものではなく、実用性を考慮してより幅広に設定することもできる。この堅締用バンド１２の装着時に足裏面側に来る所定の箇所の内面側には、サポート部材取着用面ファスナー１４の鉤面１４Ｂを取り付けてある。これに対してサポート部材１３の背面側の全体に、サポート部材取着用面ファスナー１４のループ面１４Ａが貼り付けてある。
【００２２】
なお、上記堅締用面ファスナー１１またこのサポート部材取着用面ファスナー１４は、ループ面１１Ａ，１４Ａと鉤面１１Ｂ，１４Ｂとを圧接させることで多数の細かな鉤に多数の細かなループが引掛り、面全体でくっつく特徴を持つものである。そして本明細書において、この面ファスナーの鉤面とループ面とは互いに対応する面に取り付けられる限り、両者の取り付け場所が入れ替わっても構わない。
【００２３】
サポート部材１３は、人の踵１０２の足裏面前側の曲線１０５に沿うように後側端縁１３１が前方に凹湾曲し、かつ、人の足裏１０４の内側に対応する部分１３２の前後幅Ｗ１を幅広にし、足裏外側に対応する部分１３３の前後幅Ｗ２を足裏内側に対応する部分１３２の前後幅Ｗ１よりも幅狭とし、左右非対称な形状にしてある。このサポート部材１３は所定の厚みＴを持つ形状である。ここでＷ１＝約３ｃｍ、Ｗ２＝約２ｃｍ、また全体の長さＬは、Ｌ＝約６〜８ｃｍとできる。
【００２４】
このサポート部材１３は、例えばアーチサポート用のクッション材として汎用されている低反発のクッション性があるルナラスティック（商品名）のＴ＝約２ｍｍ厚を所定の形状に切断して得たクッション材１５と、その裏面側の全面に取着したサポート部材取着用面ファスナー１４のループ面１４Ａとで２層構造である。この面ファスナー１４のループ面１４Ａは、堅締用バンド１２の所定箇所に取着したサポート部材取着用面ファスナー１４の鉤面１４Ｂに対して面接合することによりサポート部材１３の全体を堅締用バンド１２の所定の箇所に取り付け、また引き剥がすことで脱着できる。またサポート部材１３は左足用とで右足用とで鏡対象な形状である。ここで、上述の寸法は好ましい数値を例示したものであり、体重、性別、身長、足の大小等に応じて適宜に変更し調整することができる。また大人男性用、大人女性用、子供用等、大、中、小にサイズ設定することもできる。
【００２５】
以上で構成される本実施の形態のアーチサポート装具１は、図１に示すように堅締用バンド１２を直線状に開き、図５に示すように人の足１００の足首１０１より少し前の位置にて足裏１０４から甲１０３にかけて外周を一周するように回し、その際にサポート部材１３が足裏１０４の踵１０２の前端よりもやや前方の位置でほぼ足幅方向に置き、堅締用バンド１２の両端の面ファスナー１１Ａ，１１Ｂを面接合する。これにより、図６〜図９に示すように装着者の足１００の足首１０１よりも少し前の位置に本実施の形態のアーチサポート装具１を固定する。
【００２６】
このように足１００にアーチサポート装具１を装着することによって、サポート部材１３の足裏内側端部に対応する部分１３２は装着者の足１００の舟状骨２０１（図１０の足骨２００の図を参照）を下から支え、足裏外側端部に対応する部分１３３は装着者の足１００の立方骨２０２を下から支え、同時に堅締用バンド１２にて装着者の足１００の舟状骨２０１及び立方骨２０２を外周から軽く抱え込むように保持して装着することができる。したがって、この装着によって舟状骨２０１の下部、踵骨２０４の下部に当たるサポート部材１３の内側部分１３２が距舟関節２１１の過回内を制限し、かつ立方骨２０２の下部に当たるサポート部材１３の外側部分１３３が踵立関節２１２の過回外を制限し、アーチ部２１０の安定したサポートができる。
【００２７】
また当該アーチサポート装具１を装着する際に、伸縮性のある滑りにくい素材の堅締用バンド１２を外側から引き上げ内側に着用することによってショパール関節２１３の過回外を抑制する働きも期待できる。
【００２８】
加えて本実施の形態のアーチサポート装具１によれば、堅締用バンド１２が幅２ｃｍ以下、好ましくは１．８ｃｍ以下の透明帯材あるいは肌色帯材であるため、足１００の肌色が透けて見えあるいは足１００の肌色と区別がつかず、装用を外から目立たなくでき、軽快なバンプスのような履き物を使用する女性にとって快適な使用感を与えることができる。また足面全体に装着するサポーターのように大げさなものではなく、その点でも使用の抵抗感を少なくすることができる。
【００２９】
次に、図１１、図１２を用いて本発明の第２の実施の形態のアーチサポート装具１について説明する。第２の実施の形態のアーチサポート装具１は、サポート部材１３の足裏内側端部に対応する部分１３２及び足裏外側端部に対応する部分１３３それぞれには、必要に応じて１枚あるいは複数枚、重ね合わせて嵩上げするための嵩上げ用小片１６，１７を用意した点である。この嵩上げ用小片１６，１７はそれぞれ面ファスナーの小片で構成され、鉤面をサポート部材１３の面ファスナー１４のループ面１４Ａに面接合させることができ、それによってより強い押圧力を必要とする部分をピンポイントでより強く押圧できるようになり、第１の実施の形態にも勝る効能が期待できる。また重ねる段数を増やすことでポイントでの押圧力をいっそう高めることができる。
【００３０】
なお、本発明のアーチサポート装具１にあっては、上記の実施の形態に限定されることはなく、特に堅締用バンド１２は伸縮性を備えた滑りにくい材質の無端のバンドであっても良い。あるいはバックルにより両端を結節する様式のものであっても良い。ただし装用時の外観を保つためには透明あるいは肌色であって２ｃｍ以下、好ましくは１．８ｃｍかそれ以下の幅の細長い帯状のものであることが好ましい。また、装飾性を与えるためには堅締用バンドに装飾や模様を施したものにすることもできる。
【符号の説明】
【００３１】
１  アーチサポート装具
１１  面ファスナー
１１Ａ  面ファスナーループ面
１１Ｂ  面ファスナー鉤面
１２  堅締用バンド
１３  サポート部材
１３１  後側端縁部
１３２  足裏の内側端部に対応する端部
１３３  足裏の外側端部に対応する端部
１４Ａ  面ファスナーループ面
１４Ｂ  面ファスナー鉤面
１５  クッション材
１６，１７  嵩上げ用小片
【図１】
2019134903.tif 000003
【図２】
2019134903.tif 000004
【図３】
2019134903.tif 000005
【図４】
2019134903.tif 000006
【図５】
2019134903.tif 000007
【図６】
2019134903.tif 000008
【図７】
2019134903.tif 000009
【図８】
2019134903.tif 000010
【図９】
2019134903.tif 000011
【図１０】
2019134903.tif 000012
【図１１】
2019134903.tif 000013
【図１２】
2019134903.tif 000014